(57)【要約】【課題】情報処理装置の利用者に表示情報を表示装置に出力する権限が与えられている場合のみ、表示情報を表示装置に出力することができる場合と比較して、利用者が表示情報を表示装置に出力する権限を有するか否か不明の場合でも、表示情報を表示装置に出力することができる。【解決手段】表示情報を出力する情報処理装置の利用者を識別する利用者識別情報及び表示装置へ出力する表示情報を受け付ける受付部３０と、受付部３０が受け付けた利用者識別情報の認証結果に基づいて、利用者が情報処理装置の利用が許可されていると認証された場合において、受付部３０が受け付けた表示情報を表示装置へ出力する権限が利用者に与えられているか否か不明で、且つ、表示情報を表示装置へ出力するための利用者に関する予め定めた条件を満たす場合に、利用者識別情報及び表示情報を表示装置へ送信する送信部３４と、を備える。【選択図】図３
2014079887.tif 000002
【特許請求の範囲】
【請求項１】
表示情報を表示する表示装置に対して、前記表示情報を出力する情報処理装置の利用者を識別する利用者識別情報及び前記表示装置へ出力する前記表示情報を受け付ける受付手段と、
前記受付手段が受け付けた前記利用者識別情報の認証結果に基づいて、前記利用者が前記情報処理装置の利用が許可されていると認証された場合において、前記受付手段が受け付けた前記表示情報を前記表示装置へ出力する権限が前記利用者に与えられているか否か不明で、前記表示情報を前記表示装置へ出力するための前記利用者に関する予め定めた条件を満たす場合に、前記利用者識別情報及び前記表示情報を前記表示装置へ送信する送信手段と、
を備えた情報処理装置。
【請求項２】
前記送信手段は、前記認証結果により前記利用者が前記情報処理装置の利用が許可されていると認証された場合において、前記受付手段が受け付けた前記表示情報を前記表示装置へ出力する権限が前記利用者に与えられているか否か不明で、前記利用者が所属する組織に関する組織情報に基づいた予め定めた条件を満たす場合に、前記利用者識別情報及び前記表示情報を前記表示装置へ送信する
請求項１記載の情報処理装置。
【請求項３】
前記送信手段は、前記認証結果により前記利用者が前記情報処理装置の利用が許可されていると認証された場合において、前記受付手段が受け付けた前記表示情報を前記表示装置へ出力する権限が前記利用者に与えられているか否か不明で、前記利用者の所属する組織が前記表示情報の作成者の所属する組織と同一である場合に、前記利用者識別情報及び前記表示情報を前記表示装置へ送信する
請求項２記載の情報処理装置。
【請求項４】
前記送信手段は、前記認証結果により前記利用者が前記情報処理装置の利用が許可されていると認証された場合において、前記受付手段が受け付けた前記表示情報を前記表示装置へ出力する権限が前記利用者に与えられているか否か不明で、前記利用者識別情報により前記利用者が個人として特定できる場合に、前記利用者識別情報及び前記表示情報を前記表示装置へ送信する
請求項１記載の情報処理装置。
【請求項５】
前記受付手段は、記録媒体に記録された前記利用者識別情報を検出する検出手段を備え、
前記検出手段により、前記情報処理装置の利用が許可されている前記利用者の利用者識別情報と、前記情報処理装置の利用が許可されていない前記利用者の利用者識別情報とが検出された場合は、前記情報処理装置の利用が許可されていない前記利用者を前記情報処理装置の利用が許可されている者として認証する
請求項１〜請求項４の何れか１項に記載の情報処理装置。
【請求項６】
コンピュータを、請求項１〜請求項５の何れか１項に記載の情報処理装置を構成する送信手段として機能させるための情報処理プログラム。
【請求項７】
請求項１〜請求項５の何れか１項に記載の情報処理装置と、
前記情報処理装置から前記情報処理装置の利用者を識別する利用者識別情報及び表示装置に表示する表示情報を受信する受信手段と、前記表示装置の閲覧者を識別する閲覧者識別情報を受け付ける閲覧者識別情報受付手段と、前記閲覧者識別情報で表される前記閲覧者が、前記表示装置の利用が許可されているか否かを認証する閲覧者認証手段と、前記利用者が前記閲覧者と一致する場合に前記表示情報を表示する表示手段と、を有する表示装置と、
を備えた情報処理システム。
【請求項８】
前記表示手段は、前記利用者が前記閲覧者と一致しない場合に前記表示情報の表示を制限する
請求項７記載の情報処理システム。
【請求項９】
前記閲覧者識別情報受付手段は、記録媒体に記録された前記閲覧者識別情報を検出する閲覧者識別情報検出手段を備え、
前記表示手段は、前記閲覧者識別情報検出手段により前記閲覧者識別情報が検出されている期間において、前記閲覧者が前記利用者と一致する場合に、前記表示情報を表示する
請求項７又は請求項８記載の情報処理システム。
【請求項１０】
前記閲覧者識別情報受付手段は、記録媒体に記録された前記閲覧者識別情報を検出する閲覧者識別情報検出手段を備え、
前記閲覧者識別情報検出手段により、前記表示装置の利用が許可されていない前記閲覧者の閲覧者識別情報と、前記表示装置の利用が許可されている前記閲覧者の閲覧者識別情報とが検出された場合は、前記表示装置の利用が許可されていない前記閲覧者を前記表示装置の利用が許可されている者として認証する
請求項７〜請求項９の何れか１項に記載の情報処理システム。
【発明の詳細な説明】
【技術分野】
【０００１】
本発明は、情報処理装置、情報処理プログラム、及び情報処理システムに関する。
【背景技術】
【０００２】
特許文献１には、画像形成装置と、表示部を備える１又は複数の情報閲覧装置とを含み、画像形成装置と１又は複数の情報閲覧装置とが通信可能に接続される情報閲覧システムにおいて、画像形成装置は、ユーザの認証情報と出力設定情報とが付加されたデータを取得し、出力設定情報によりデータに基づく印刷が指示された場合は、認証情報の入力を待って印刷を開始し、出力設定情報によりデータに基づく表示が指示された場合は、認証情報の入力を待たずにデータを予め定めた情報閲覧装置に転送し、予め定めた情報閲覧装置は、転送されたデータを記憶し、認証情報の入力を待って表示部にデータに基づく表示を行うことを特徴とする情報閲覧システムが開示されている。
【０００３】
特許文献２には、画像を表示する表示部と、装置本体の利用権限を有する個人であるか否かを個人認証情報を用いて認証する個人認証手段とを有し、個人認証手段によって利用権限を有する個人であると認証されることで、画像が表示されていない表示部に画像を表示することができる画像表示装置において、装置本体が把持されているか否かを検知する把持検知手段と、少なくとも、表示部に画像が表示されている状態で、把持検知手段によって装置本体の把持が検知されているときは表示部に継続して画像を表示する制御と、把持検知手段によって装置本体の把持が検知されないときに個人認証手段による個人認証を行い、利用権限を有する個人であると認証されなければ表示部に表示されている画像を消去する制御とを行う制御手段と、を有することを特徴とする画像表示装置が開示されている。
【０００４】
特許文献３には、電子ペーパーと原稿とを搬送する原稿搬送手段と、搬送される原稿を読み取る読取手段と、読取手段により読み取られた原稿の画像データを保存する保存手段と、保存手段に保存されている画像データを、原稿搬送手段による電子ペーパーの搬送前、または搬送中、または搬送後に、電子ペーパーに書き込む書込み手段と、を備えたことを特徴とする画像形成装置が開示されている。
【０００５】
特許文献４には、外部から書き込まれた画像データを表示する表示手段と、外部からの表示要求または非表示要求に基づいて、画像データを表示手段へ表示する表示モードと表示しない非表示モードを切り替えるモード切り替え手段と、を備えた電子ペーパーに画像データを書き込んで印刷する画像形成装置であって、電子ペーパーに画像データを書き込む書き込み手段と、書き込み手段により電子ペーパーに書き込まれた画像データについての表示要求または非表示要求を電子ペーパーに送信する送信手段と、画像データが書き込まれた電子ペーパーを機外へ排出する排出手段と、電子ペーパーについて、表示モードと非表示モードのいずれを設定するかを決定するモード決定手段と、モード決定手段の結果に基づいて、電子ペーパーのモードを制御する制御手段と、を備えたことを特徴とする画像形成装置が開示されている。
【先行技術文献】
【特許文献】
【０００６】
【特許文献１】特開２０１１−１９８０４５号公報
【特許文献２】特開２００９−２７１８４１号公報
【特許文献３】特開２００８−１４７９８２号公報
【特許文献４】特開２００８−１４９４９２号公報
【発明の概要】
【発明が解決しようとする課題】
【０００７】
本発明は、情報処理装置の利用者に表示情報を表示装置に出力する権限が与えられている場合のみ、表示情報を表示装置に出力することができる場合と比較して、情報処理装置の利用者が表示情報を表示装置に出力する権限を有するか不明の場合であっても、表示情報を表示装置に出力することができる情報処理装置、情報処理プログラム、及び情報処理システムを提供することを目的とする。
【課題を解決するための手段】
【０００８】
上記目的を達成するために、請求項１記載の情報処理装置の発明は、表示情報を表示する表示装置に対して、前記表示情報を出力する情報処理装置の利用者を識別する利用者識別情報及び前記表示装置へ出力する前記表示情報を受け付ける受付手段と、前記受付手段から受け付けた前記利用者識別情報の認証結果に基づき、前記利用者が前記情報処理装置の利用が許可されていると認証された場合において、前記受付手段が受け付けた前記表示情報を前記表示装置へ出力する権限が前記利用者に与えられているか否か不明で、前記表示情報を前記表示装置へ出力するための前記利用者に関する予め定めた条件を満たす場合に、前記利用者識別情報及び前記表示情報を前記表示装置へ送信する送信手段と、を備える。
【０００９】
請求項２記載の発明は、前記送信手段は、前記認証結果により前記利用者が前記情報処理装置の利用が許可されていると認証された場合において、前記受付手段が受け付けた前記表示情報を前記表示装置へ出力する権限が前記利用者に与えられているか否か不明で、前記利用者が所属する組織に関する組織情報に基づいた予め定めた条件を満たす場合に、前記利用者識別情報及び前記表示情報を前記表示装置へ送信する。
【００１０】
請求項３記載の発明は、前記送信手段は、前記認証結果により前記利用者が前記情報処理装置の利用が許可されていると認証された場合において、前記受付手段が受け付けた前記表示情報を前記表示装置へ出力する権限が前記利用者に与えられているか否か不明で、前記利用者の所属する組織が前記表示情報の作成者の所属する組織と同一である場合に、前記利用者識別情報及び前記表示情報を前記表示装置へ送信する。
【００１１】
請求項４記載の発明は、前記送信手段は、前記認証結果により前記利用者が前記情報処理装置の利用が許可されていると認証された場合において、前記受付手段が受け付けた前記表示情報を前記表示装置へ出力する権限が前記利用者に与えられているか否か不明で、前記利用者識別情報により前記利用者が個人として特定できる場合に、前記利用者識別情報及び前記表示情報を前記表示装置へ送信する。
【００１２】
請求項５記載の発明は、前記受付手段は、記録媒体に記録された前記利用者識別情報を検出する検出手段を備え、前記検出手段により、前記情報処理装置の利用が許可されている前記利用者の利用者識別情報と、前記情報処理装置の利用が許可されていない前記利用者の利用者識別情報とが検出された場合は、前記情報処理装置の利用が許可されていない前記利用者を前記情報処理装置の利用が許可されている者として認証する。
【００１３】
請求項６記載の情報処理プログラムの発明は、コンピュータを、請求項１〜請求項５の何れか１項に記載の情報処理装置を構成する送信手段として機能させる。
【００１４】
請求項７記載の情報処理システムの発明は、請求項１〜請求項５の何れか１項に記載の情報処理装置と、前記情報処理装置から前記情報処理装置の利用者を識別する利用者識別情報及び表示装置に表示する表示情報を受信する受信手段と、前記表示装置の閲覧者を識別する閲覧者識別情報を受け付ける閲覧者識別情報受付手段と、前記閲覧者識別情報で表される前記閲覧者が、前記表示装置の利用が許可されているか否かを認証する閲覧者認証手段と、前記利用者が前記閲覧者と一致する場合に前記表示情報を表示する表示手段と、を有する表示装置と、を備える。
【００１５】
請求項８記載の発明は、前記表示手段は、前記利用者が前記閲覧者と一致しない場合に前記表示情報の表示を制限する。
【００１６】
請求項９記載の発明は、前記閲覧者識別情報受付手段は、記録媒体に記録された前記閲覧者識別情報を検出する閲覧者識別情報検出手段を備え、前記表示手段は、前記閲覧者識別情報検出手段により前記閲覧者識別情報が検出されている期間において、前記閲覧者が前記利用者と一致する場合に、前記表示情報を表示する。
【００１７】
請求項１０記載の発明は、前記閲覧者識別情報受付手段は、記録媒体に記録された前記閲覧者識別情報を検出する閲覧者識別情報検出手段を備え、前記閲覧者識別情報検出手段により、前記表示装置の利用が許可されていない前記閲覧者の閲覧者識別情報と、前記表示装置の利用が許可されている前記閲覧者の閲覧者識別情報とが検出された場合は、前記表示装置の利用が許可されていない前記閲覧者を前記表示装置の利用が許可されている者として認証する。
【発明の効果】
【００１８】
請求項１、６、７の発明によれば、情報処理装置の利用者に表示情報を表示装置に出力する権限が与えられている場合のみ、表示情報を表示装置に出力することができる場合と比較して、情報処理装置の利用者が表示情報を表示装置に出力する権限を有するか否か不明の場合であっても、表示情報を表示装置に出力することができる、という効果を有する。
【００１９】
請求項２の発明によれば、組織とは無関係に表示情報を表示装置へ送信する権限を付与する場合と比較して、組織外の利用者に対する表示情報の漏洩を抑制することができる、という効果を有する。
【００２０】
請求項３の発明によれば、利用者の所属する組織とは無関係に表示情報を表示装置へ送信する権限を付与する場合と比較して、利用者の所属する組織外の利用者に対する表示情報の漏洩を抑制することができる、という効果を有する。
【００２１】
請求項４の発明によれば、利用者を個人として特定できるか否かに関わらず、表示情報を表示装置へ出力する権限を付与する場合と比較して、不特定の者に対する表示情報の漏洩を抑制することができる、という効果を有する。
【００２２】
請求項５の発明によれば、予め情報処理装置の利用が許可されている利用者のみ情報処理装置の利用ができる場合と比較して、情報処理装置の利用許可に関する設定を変更することなく、情報処理装置の利用が許可されていない者でも一時的に情報処理装置の利用ができる、という効果を有する。
【００２３】
請求項８の発明によれば、情報処理装置の利用者と表示装置の閲覧者とが一致するか否かに関係なく表示情報を表示する場合と比較して、表示情報の漏洩を抑制することができる、という効果を有する。
【００２４】
請求項９の発明によれば、１度認証に成功した後に表示情報を表示し続ける場合と比較して、表示情報の漏洩を抑制することができる、という効果を有する。
【００２５】
請求項１０の発明によれば、予め表示装置の閲覧が許可されている閲覧者のみ表示装置の閲覧ができる場合と比較して、表示装置の閲覧許可に関する設定を変更することなく、表示装置の閲覧が許可されていない者でも一時的に表示装置の閲覧ができる、という効果を有する。
【図面の簡単な説明】
【００２６】
【図１】情報処理システムの概略構成図である。
【図２】画像形成装置の要部斜視図である。
【図３】画像形成装置の機能的な構成を示すブロック図である。
【図４】画像形成装置の電気系の要部構成を示すブロック図である。
【図５】電子ペーパー装置の概略構成図である。
【図６】電子ペーパー装置の泳動粒子の電圧印加特性を示す図である。
【図７】電子ペーパー装置の電気系の要部構成を示すブロック図である。
【図８】本実施形態に係る画像形成装置のコンピュータで実行される表示情報出力処理のフローチャートである。
【図９】本実施形態に係る表示情報に設定された出力権限の説明に供する図である。
【図１０】本実施形態に係る表示情報の属性の説明に供する図である。
【図１１】本実施形態に係る組織情報の説明に供する図である。
【図１２】本実施形態に係る電子ペーパーのコンピュータで実行される表示処理のフローチャートである。
【発明を実施するための形態】
【００２７】
以下、図面を参照して、本発明を実施するための形態を詳細に説明する。なお、作用、機能が同じ働きを担う構成要素には、全図面を通して同じ符合を付与し、重複する説明を省略する場合がある。
【００２８】
図１は、本実施形態に係る情報処理システム１００の概略構成図である。同図に示すように、情報処理システム１００は、パーソナルコンピュータ（以下、ＰＣと称す）２、コンテンツサーバ６、及び情報処理装置としての画像形成装置１０が、ネットワーク４を介して相互に接続され、画像形成装置１０には表示装置としての電子ペーパー８が接続された構成となっている。ここで、画像形成装置１０とは、例えば、プリンタ機能、コピー機能、スキャナ機能、及びファクシミリ機能等、複数の機能を備えた装置をいう。
【００２９】
画像形成装置１０は、例えば、電子ペーパー８に表示する情報、又は画像形成装置１０に備えられたプリンタ機能を用いて紙等の記録媒体に記録する情報（表示情報）を選択するためのコンテンツ選択情報、及び、画像形成装置１０を利用して電子ペーパー８や記録媒体等への表示情報の出力を希望する利用者を識別する利用者識別情報を、ＰＣ２から受け付ける。そして、コンテンツ選択情報で示された表示情報をコンテンツサーバ６から取得した後、後述する表示情報出力処理に基づいて、表示情報を電子ペーパー８又は記録媒体へ出力する。
【００３０】
なお、ネットワーク４は有線であっても無線であってもよく、同様に、電子ペーパー８と画像形成装置１０との接続も、有線であっても無線であってもよい。また、本実施形態に係る電子ペーパー８は直接的に画像形成装置１０に接続されているが、電子ペーパー８にネットワーク４に接続するインターフェース（Ｉ／Ｆ）を備え、ネットワーク４を介して画像形成装置１０と電子ペーパー８を接続する形態としてもよい。
【００３１】
コンテンツサーバ６は、例えば、ネットワーク接続ストレージやパーソナルコンピュータ等で構成され、例えば、ハードディスク等のデータ記憶媒体に表示情報を記憶している。
【００３２】
図２には、本実施形態に係る画像形成装置１０の要部斜視図を示す。
【００３３】
画像形成装置１０には、装置上部に画像読取部１２が設けられ、画像読取部１２の下方に画像形成部１４が配置されている。画像読取部１２は、原稿カバー１６内に原稿搬送部１８を備えている。原稿搬送部１８は、原稿カバー１６に設けられている原稿給紙部１６Ａ上に載せられた原稿２０を順に引き込んで図示しないプラテンガラス上に搬送する。画像読取部１２は、プラテンガラス上に搬送された原稿２０に記録された画像情報の読み込みを行う。また、原稿搬送部１８は、画像の読み込みが終了した原稿２０を原稿カバー１６に設けられている原稿排出部１６Ｂ上に排出する。
【００３４】
また、画像読取部１２には、利用者による各種の指示操作を受け付け、画像形成装置１０の各種情報を表示する操作表示部２２が設けられている。操作表示部２２は、ソフトウェアプログラムによって指示操作の受け付けを実現する表示ボタンや各種情報が表示されるタッチパネル式のディスプレイ２４、テンキーやスタートボタンなどのハードウェアキー２６、画像形成装置１０の利用に先立ち、画像形成装置１０の利用を許可された者であるか否かを認証するために社員証等の図示しないＩＣカード等に記録された利用者識別情報を読み取るカードリーダー２５等が設けられている。なお、画像形成装置１０の利用に先立ち、ＰＣ２から利用者識別情報を受信する場合には、操作表示部２２のカードリーダー２５で利用者識別情報を読み取る必要はない。
【００３５】
一方、画像形成部１４は、例えば所謂電子写真方式により用紙収容部２８に収容される記録媒体上に画像を形成するものである。
【００３６】
具体的には、画像形成部１４は、感光体ドラムを帯電するための帯電装置、帯電された感光体ドラム上を画像に応じた光で露光することにより感光体ドラム上に画像に応じた静電潜像を形成する露光装置、感光体ドラム上に形成された静電潜像をトナー現像する現像装置、感光体ドラム上に形成された画像に応じたトナー像を記録媒体に転写する転写装置、記録媒体に転写された画像に応じたトナー像を定着する定着装置等を含んで構成される。
【００３７】
なお、露光装置としては、半導体レーザーや回転多面鏡、コリメータレンズやシリンドリカルレンズ、ｆθレンズ等の光学系を含んで構成された光走査装置、複数のＬＥＤから成るＬＥＤヘッド等がある。
【００３８】
図３は、本実施形態に係る画像形成装置１０の機能的な構成を示す機能ブロック図である。同図に示すように、本実施形態に係る画像形成装置１０は、受付部３０、認証部３２、及び送信部３４、を備えている。更に、受付部３０は検出部３６を含んでいる。
【００３９】
受付部３０は、画像形成装置１０の利用者（以下、単に利用者と称す）を識別する利用者識別情報、及びコンテンツサーバ６に保存されている表示情報を選択するためのコンテンツ選択情報を受け付ける。本実施形態に係る受付部３０は、ＰＣ２からネットワーク４を介して利用者識別情報及びコンテンツ選択情報を受け付けるが、画像形成装置１０に図示しないＩＣカード等の記録媒体に記録された利用者識別情報を検出する検出部３６を設け、検出部３６から利用者識別情報を受け付けてもよいし、ディスプレイ２４の表示ボタンやハードウェアキー２６の操作によってコンテンツ選択情報を受け付けてもよい。
【００４０】
認証部３２は、受付部３０で受け付けた利用者識別情報で表される利用者が、画像形成装置１０の利用が許可されている者か否かを認証する。
【００４１】
なお、以下の説明では、画像形成装置１０の利用が許可されている利用者を認証利用者と称し、画像形成装置１０の利用が許可されていない利用者を非認証利用者と称す。
【００４２】
送信部３４は、認証部３２により受付部３０で受け付けた利用者識別情報で表される利用者が、画像形成装置１０の利用が許可されている者であると認証された場合において、当該利用者に表示情報を電子ペーパー８へ出力する権限が与えられている場合、又は、表示情報を電子ペーパー８へ出力する権限が与えられているか否か不明であっても、表示情報を電子ペーパー８へ出力するための当該利用者に関する予め定めた条件を満たす場合に、電子ペーパー８へ利用者識別情報、及びコンテンツ選択情報で選択された表示情報を送信する。
【００４３】
図４に、本実施形態に係る画像形成装置１０の電気系の要部構成を示すブロック図を例示した。同図に示すように、画像形成装置１０は、コンピュータ５０を含んで構成されている。
【００４４】
コンピュータ５０は、ＣＰＵ（Ｃｅｎｔｒａｌ  Ｐｒｏｃｅｓｓｉｎｇ  Ｕｎｉｔ）５０Ａ、ＲＯＭ（Ｒｅａｄ  Ｏｎｌｙ  Ｍｅｍｏｒｙ）５０Ｂ、ＲＡＭ（Ｒａｎｄｏｍ  Ａｃｃｅｓｓ  Ｍｅｍｏｒｙ）５０Ｃ、不揮発性メモリ５０Ｄ、及び入出力インターフェース（Ｉ／Ｏ）５０Ｅがバス５０Ｆを介して各々接続された構成となっている。
【００４５】
Ｉ／Ｏ５０Ｅには、画像読取部１２、画像形成部１４、操作表示部２２、カードリーダー２５、用紙供給部４０、用紙排出部４２、ハードディスク４４、電子ペーパー通信Ｉ／Ｆ４６、及びネットワーク通信Ｉ／Ｆ４８等が接続されている。
【００４６】
カードリーダー２５は、例えば社員証等の図示しないＩＣカード等に記録された利用者識別情報を読み取る。カードリーダー２５は非接触型であっても接触型であってもよい。なお、本実施形態では、図示しない非接触型ＩＣカードに利用者識別情報が記録されているものとして説明するが、利用者識別情報は、例えばスマートフォンやタブレット端末等の携帯端末装置に記録されていてもよい。この場合、カードリーダー２５を携帯端末装置通信Ｉ／Ｆに置き換えて、有線又は無線により携帯端末装置に記録された利用者識別情報を読み取るようにすればよい。
【００４７】
用紙供給部４０は、例えば記録媒体である記録用紙（紙）が収容される用紙収容部２８や、用紙収容部２８から画像形成部１４へ紙を供給する供給機構等を含んで構成される。
【００４８】
用紙排出部４２は、紙が排出される排出部や、画像形成部１４で画像が形成された紙を、画像形成装置１０の外部に排出させるための排出機構等を含んで構成される。
【００４９】
ハードディスク４４には、例えば画像形成装置１０の動作を制御するための各種制御プログラム等が記憶される。
【００５０】
電子ペーパー通信Ｉ／Ｆ４６は、有線又は無線により、電子ペーパー８と相互にデータ通信を行うためのインターフェースである。
【００５１】
ネットワーク通信Ｉ／Ｆ４８は、ネットワーク４を介してＰＣ２及びコンテンツサーバ６と、相互にデータ通信を行うためのインターフェースである。
【００５２】
なお、後述する表示情報出力処理の制御プログラムは、本実施形態では一例としてハードディスク４４に予め記憶され、ＣＰＵ５０Ａがこの予め記憶された制御プログラムを読み込むことにより実行される。また、ＣＤ−ＲＯＭ等の記憶媒体に制御プログラムを記録し、これをＣＤ−ＲＯＭドライブ等で読み込むことにより実行する形態や、制御プログラムを有線又は無線による通信手段を介して受信することにより実行する形態等を用いてもよい。
【００５３】
次に、図５に、本実施形態に係る電子ペーパー８の概略構成図を示す。
【００５４】
電子ペーパー８は、画像表示媒体１１０と、画像表示媒体１１０を駆動する駆動装置１２０と、を備えている。駆動装置１２０は、画像表示媒体１１０の表示側電極１０３、背面側電極１０４間に電圧を印加する電圧印加部１３０と、画像表示媒体１１０に表示させる画像形成装置１０から受信した表示情報に応じて電圧印加部１３０を制御する制御部１４０と、を含んで構成されている。
【００５５】
画像表示媒体１１０は、画像表示面とされる透光性を有する表示基板１０１と、非表示面とされる背面基板１０２と、が間隙を持って対向して配置されている。
【００５６】
これらの基板１０１、１０２間を定められた間隔に保持すると共に、当該基板間を複数のセルに区画する間隙部材１０５が設けられている。
【００５７】
上記セルとは、背面側電極１０４が設けられた背面基板１０２と、表示側電極１０３が設けられた表示基板１０１と、間隙部材１０５と、によって囲まれた領域を示している。セル中には、例えば絶縁性液体で構成された分散媒１０６と、分散媒１０６中に分散された第１粒子群１１１、第２粒子群１１２、及び浮遊粒子群１１３とが封入されている。
【００５８】
第１粒子群１１１と第２粒子群１１２は、例えば、互いに異なる色に着色された同極性に帯電した粒子群であり、一対の電極１０３、１０４間に予め定めた閾値電圧以上の電圧を印加することにより、第１粒子群１１１及び第２粒子群１１２が分散媒１０６中をそれぞれ単独で泳動し、表示基板１０１又は背面基板１０２に付着する特性を有している。
【００５９】
一方、浮遊粒子群１１３は、例えば、第１粒子群１１１及び第２粒子群１１２と色が異なる無帯電の粒子群であり、一対の電極１０３、１０４間に電圧を印加しても、分散媒１０６中を泳動することなく浮遊している。
【００６０】
駆動装置１２０（電圧印加部１３０及び制御部１４０）は、画像表示媒体１１０の表示側電極１０３、背面側電極１０４間に表示させる色に応じた電圧を印加することにより、粒子群１１１、１１２を、それぞれの帯電特性に応じて表示基板１０１、背面基板１０２の何れか一方向に泳動させる。
【００６１】
電圧印加部１３０は、表示側電極１０３及び背面側電極１０４にそれぞれ電気的に接続されている。また、電圧印加部１３０は、制御部１４０に信号授受されるように接続されている。
【００６２】
制御部１４０は、画像形成装置１０から受信した表示情報から画素毎の表示色を取得して、各画素に対応するセル毎に、表示色に応じた電圧を印加するように電圧印加部１３０を制御する。
【００６３】
図６は、本実施形態に係る画像表示媒体１１０において、例えば、第１粒子群１１１としてシアンの色彩を有し且つ透光性を有する正帯電の電気泳動粒子（シアン粒子Ｃ）を、表示基板１０１側、背面基板１０２側に泳動させるために必要な印加電圧の特性（１５０Ｃ）、及び第２粒子群１１２として赤の色彩を有するシアン粒子Ｃの粒径より大きい正帯電の電気泳動粒子（赤粒子Ｒ）を表示基板１０１側、背面基板１０２側に泳動させるために必要な印加電圧の特性（１５０Ｒ）を示したものである。
【００６４】
なお、浮遊粒子群１１３として、例えば、透光性がない白の色彩を有する浮遊粒子（白粒子Ｗ）は、無帯電の粒子群であるため印加電圧に応じて分散媒１０６中を泳動することはない。
【００６５】
また、図６は、表示側電極１０３をグラウンドレベル（０Ｖ）として背面側電極１０４に印加された電圧と、各粒子群による表示濃度との関係を示したものである。
【００６６】
図６に示すように、背面基板１０２側のシアン粒子Ｃが表示基板１０１側へ泳動を開始する泳動開始電圧は＋Ｖｃ０であり、表示基板１０１側のシアン粒子Ｃが背面基板１０２側へ泳動を開始する泳動開始電圧は−Ｖｃ０である。従って、例えば＋Ｖｃ０以上の電圧を印加することで、背面基板１０２側のシアン粒子Ｃが表示基板１０１側へ泳動して表示基板１０１側に付着し、−Ｖｃ０以下の電圧を印加することで、表示基板１０１側のシアン粒子Ｃが背面基板１０２側へ泳動して背面基板１０２側に付着する。
【００６７】
そして、背面基板１０２側のシアン粒子Ｃを表示基板１０１側へ泳動させる粒子の粒子量、表示基板１０１側のシアン粒子Ｃを背面基板１０２側へ泳動させる粒子の粒子量は、電圧値を変えることで泳動する粒子の粒子量を制御し、階調表示を制御する。
【００６８】
同様に、背面基板１０２側の赤粒子Ｒが表示基板１０１側へ泳動開始する閾値電圧は＋Ｖｒ０であり、表示基板１０１側の赤粒子Ｒが背面基板１０２側へ泳動開始する閾値電圧は−Ｖｒ０である。
【００６９】
次に、各セルに表示する色の制御に関して説明する。
【００７０】
正帯電の全てのシアン粒子Ｃ及び赤粒子Ｒが表示基板１０１側から背面基板１０２側に泳動して背面基板１０２側の全面に付着した状態となるよう、背面側電極１０４に−Ｖｃ１の電圧を印加した場合であっても、白粒子Ｗは分散媒１０６中を泳動せずに浮遊する。この場合、白粒子Ｗは透光性を有しないため、表示基板１０１側からは白粒子Ｗが目視されるため白色が表示される。
【００７１】
この状態から、背面側電極１０４に＋Ｖｒ１の電圧を印加すると、正帯電の赤粒子Ｒは背面基板１０２側から表示基板１０１側に泳動して表示基板１０１側の全面に付着した状態となる。この場合、表示基板１０１側からは赤粒子Ｒが目視されるため赤色が表示される。
【００７２】
更に、赤色表示の状態から、背面側電極１０４に＋Ｖｃ１の電圧を印加すると、正帯電のシアン粒子Ｃは、背面基板１０２側から表示基板１０１側に泳動して、既に表示基板１０１側に付着している赤粒子Ｒの間隙を通り、表示基板１０１側の全面に付着した状態となる。この場合、表示基板１０１側からは透光性を有するシアン粒子Ｃを通してシアン色と赤色の混色である黒色が表示される。
【００７３】
更に、黒色表示の状態から、背面側電極１０４に−Ｖｒ１の電圧を印加すると、正帯電の赤粒子Ｒは表示基板１０１側から背面基板１０２側に泳動して背面基板１０２側の全面に付着した状態となる。シアン粒子Ｃは表示基板１側の全面に付着したままの状態であるから、表示基板１０１側からはシアン粒子Ｃが目視されるのでシアン色が表示される。
【００７４】
なお、上記に説明した電子ペーパーで表示される表示色は一例であり、各粒子群の印加電圧特性、色、数、大きさ、透光性の度合い等を変化させることで、電子ペーパー８の表示色が設定されることは言うまでもない。
【００７５】
図７に、本実施形態に係る電子ペーパー８の電気系の要部構成を示すブロック図を例示した。同図に示すように、電子ペーパー８は、コンピュータ７０を含んで構成されている。
【００７６】
コンピュータ７０は、ＣＰＵ７０Ａ、ＲＯＭ７０Ｂ、ＲＡＭ７０Ｃ、不揮発性メモリ７０Ｄ、及びＩ／Ｏ７０Ｅがバス７０Ｆを介して各々接続された構成となっている。
【００７７】
Ｉ／Ｏ７０Ｅには、電圧印加部１３０、及び画像形成装置通信Ｉ／Ｆ１３２、カードリーダー１３４等が接続されている。
【００７８】
画像形成装置通信Ｉ／Ｆ１３２は、有線又は無線により、画像形成装置１０と相互にデータ通信を行うためのインターフェースである。
【００７９】
カードリーダー１３４は、例えば社員証等の図示しないＩＣカード等に記録された閲覧者識別情報を読み取る。説明の便宜上、カードリーダー１３４で読み取る情報を閲覧者識別情報とし、画像形成装置１０のカードリーダー２５で読み取る情報を利用者識別情報と区別しているが、利用者識別情報と閲覧者識別情報とは同じ情報を指すものとする。
【００８０】
カードリーダー１３４は非接触型であっても接触型であってもよい。なお、本実施形態では、図示しない非接触型ＩＣカードに閲覧者識別情報が記録されているものとして説明するが、閲覧者識別情報は、例えばスマートフォンやタブレット端末等の携帯端末装置に記録されていてもよい。この場合、カードリーダー１３４を携帯端末装置通信Ｉ／Ｆに置き換えて、有線又は無線により携帯端末装置に記録された閲覧者識別情報を読み取るようにすればよい。
【００８１】
次に、画像形成装置１０のコンピュータ５０で実行される表示情報出力処理について、図８に示すフローチャートを参照して説明する。
【００８２】
なお、図８に示す処理は、例えば、画像形成装置１０の電源がオンされると、ＣＰＵ５０Ａにより実行される。
【００８３】
まず、ステップＳ１００では、ＰＣ２から、ネットワーク４に接続されたネットワーク通信Ｉ／Ｆ４８を介して、利用者識別情報及びコンテンツ選択情報を受け付けたか否かを判定する。利用者識別情報及びコンテンツ選択情報を受け付けていない場合は、利用者識別情報及びコンテンツ選択情報を受け付けるまでステップＳ１００を実行する。利用者識別情報及びコンテンツ選択情報を受け付けた場合は、例えば、利用者識別情報及びコンテンツ選択情報をＲＡＭ５０Ｃの予め定めた領域に記憶すると共に、ステップＳ１０２に移行する。
【００８４】
ステップＳ１０２では、ステップＳ１００で受け付けた利用者識別情報で表される利用者が、認証利用者であるか否かを認証する。この場合、例えば、不揮発性メモリ５０Ｄの予め定めた領域に予め記憶されている、認証利用者の利用者識別情報が記載された認証利用者テーブルを参照して認証すればよい。なお、認証利用者テーブルはネットワーク４上のコンテンツサーバ６や図示しないサーバ等に予め記憶しておいてもよい。この場合、ＰＣ２はステップＳ１００の処理と並行して、コンテンツサーバ６や図示しないサーバ等へも利用者識別情報を送信する。コンテンツサーバ６や図示しないサーバ等は、認証利用者テーブルを参照して、ＰＣ２から受信した利用者識別情報で表される利用者が認証利用者であるか否かを認証する。そして、この認証結果を、ネットワーク４を介して画像形成装置１０に送信する。画像形成装置１０は、受け付けた認証結果をＲＡＭ５０Ｃに記憶すればよく、認証部３２は不要となる。
【００８５】
また、画像形成装置１０は、コンテンツサーバ６や図示しないサーバ等からネットワーク通信Ｉ／Ｆ４８を介して認証利用者テーブルを取得して、ＲＡＭ５０Ｃに記憶するようにしてもよい。この場合、画像形成装置１０は、コンテンツサーバ６や図示しないサーバ等から受信した認証利用者テーブルを参照して、利用者識別情報で表される利用者が、認証利用者であるか否かを認証すればよい。
【００８６】
ステップＳ１０３では、ステップＳ１００で受け付けた利用者識別情報が認証利用者テーブルに記載されていない場合は、画像形成装置１０の利用が許可されていない者と認証して、本処理を終了する。一方、ステップＳ１００で受け付けた利用者識別情報が認証利用者テーブルに記載されている場合は、ステップＳ１０４へ移行する。
【００８７】
ステップＳ１０４では、ステップＳ１００で受け付けたコンテンツ選択情報で示される表示情報を含んだファイル（表示情報ファイル）を、ネットワーク通信Ｉ／Ｆ４８を介してコンテンツサーバ６から取得して、ＲＡＭ５０Ｃの予め定めた領域に記憶する。
【００８８】
更に、ステップＳ１０６では、ネットワーク通信Ｉ／Ｆ４８を介して、コンテンツサーバ６に記憶されている、図９に示すファイル出力権限テーブル８０及び図１０に示すファイル属性テーブル８２を取得して、ＲＡＭ５０Ｃの予め定めた領域に記憶する。
【００８９】
ファイル出力権限テーブル８０は、各ファイルに含まれる表示情報を記録媒体及び表示媒体等へ出力する権限を規定したテーブルであり、表示情報ファイルをコンテンツサーバ６に登録、削除する度に更新される。
【００９０】
本実施形態に係るファイル出力権限テーブル８０は、表示情報ファイル毎に、例えば、紙への印刷を許可、禁止する者を特定する識別ＩＤ（Ｉｄｅｎｔｉｆｉｃａｔｉｏｎ）、及び電子ペーパー８への出力を許可、禁止する者を特定する識別ＩＤが設定されている。
【００９１】
具体的には、図９のファイル出力権限テーブル８０では、ファイル１に含まれる表示情報は、ＩＤ１及びＩＤ３で表される者に対して紙及び電子ペーパー８への出力が許可され、ＩＤ２で表される者に対しては、紙及び電子ペーパー８への出力が禁止されている。なお、ファイル出力権限テーブル８０の許可欄及び禁止欄に必ずしも識別ＩＤを設定する必要はなく、識別ＩＤが未設定であってもよい。
【００９２】
ファイル属性テーブル８２は、表示情報ファイル毎の固有の情報、例えば表示情報ファイルの作成者を特定する作成者ＩＤやファイル作成日時等、を記録したテーブルであり、表示情報ファイルをコンテンツサーバ６に登録する度に追加更新される。
【００９３】
本実施形態に係る図１０のファイル属性テーブル８２には、表示情報ファイル毎に、作成者ＩＤが設定されており、例えば、ファイル１はＩＤ１で表される者が作成したことが示されている。
【００９４】
なお、本実施形態では表示情報ファイル、ファイル出力権限テーブル８０、及びファイル属性テーブル８２を別ファイルとしたが、これに限らず、例えば表示情報ファイルのヘッダー等の領域に、表示情報を記録媒体及び表示媒体等へ出力する権限情報、及び作成者ＩＤ等を付加するようにしてもよい。この場合、ステップＳ１０４の表示情報ファイルの取得によって、表示情報を記録媒体及び表示媒体等へ出力する権限情報、及び表示情報ファイルに固有の情報が取得されるため、ステップＳ１０６の処理は不要となる。
【００９５】
また、ファイル出力権限テーブル８０及びファイル属性テーブル８２は、必ずしもコンテンツサーバ６に記憶される必要はなく、不揮発性メモリ５０Ｄの予め定めた領域や、ＰＣ２及びネットワーク４上の図示しない端末等の記憶装置等に保存しておいてもよい。
【００９６】
ステップＳ１０８では、ＲＡＭ５０Ｃに記憶されたファイル出力権限テーブル８０を参照して、ステップＳ１０４で取得した表示情報ファイルの出力権限を取得する。そして、ステップＳ１００で受け付けた利用者識別情報で表される利用者に、当該表示情報ファイルに含まれる表示情報を紙及び電子ペーパー８へ出力する権限があるか否かを判定する。当該利用者に紙及び電子ペーパー８の両方の媒体に表示情報を出力する権限がある場合は、ステップＳ１１０へ移行し、そうでない場合はステップＳ１１４へ移行する。ここで、紙及び電子ペーパー８へ出力する権限があるとは、ファイル出力権限テーブル８０の紙及び電子ペーパー８の許可欄に、それぞれ利用者識別情報と一致する識別ＩＤが明記されている場合を指す。
【００９７】
例えば、ステップＳ１００で受け付けた利用者識別情報がＩＤ１、コンテンツ選択情報で示された表示情報ファイルがファイル１であるとする。この場合、ファイル出力権限テーブル８０の内容を参照して、ＩＤ１で表される利用者にはファイル１を紙及び電子ペーパー８へ出力する権限があると判定される。
【００９８】
ステップＳ１１０では、利用者識別情報及びコンテンツ選択情報の送信元であるＰＣ２へ、ネットワーク通信Ｉ／Ｆ４８を介して、紙又は電子ペーパー８のどちらに表示情報を出力するかを選択させる画面を表示するためのデータを送信する。そして、ＰＣ２で選択された表示情報の出力先を示す出力先情報を、ネットワーク通信Ｉ／Ｆ４８を介して取得し、当該出力先情報が紙であるか電子ペーパー８であるかを判定する。出力先情報が紙である場合はステップＳ１１２へ移行し、出力先情報が電子ペーパー８である場合はステップＳ１２０に移行する。
【００９９】
ステップＳ１１２では、用紙供給部４０を制御して用紙収容部２８から紙を画像形成部１４に供給すると共に、画像形成部１４を制御して、既に説明した電子写真方式により紙上にステップＳ１０４で取得した表示情報を形成する。その後、用紙排出部４２を制御して、表示情報が形成された紙を、画像形成装置１０の外部に排出し、本処理を終了する。
【０１００】
ステップＳ１２０では、電子ペーパー通信Ｉ／Ｆ４６を介して、電子ペーパー８へ表示情報ファイル及びステップＳ１００で受け付けた利用者識別情報を送信し、本処理を終了する。
【０１０１】
一方、ステップＳ１１４では、ステップＳ１００で受け付けた利用者識別情報で表される利用者に、ステップＳ１０４で取得した表示情報ファイルに含まれる表示情報を電子ペーパー８へ出力する権限があるか否かを判定する。当該利用者に電子ペーパー８へ表示情報を出力する権限がある場合は、ステップＳ１２６へ移行し、そうでない場合はステップＳ１１６へ移行する。
【０１０２】
例えば、ステップＳ１００で受け付けた利用者識別情報がＩＤ１、コンテンツ選択情報で示された表示情報ファイルがファイル２であり、ＩＤ１で表される利用者には、画像形成装置１０の利用が許可されているものとする。
【０１０３】
この場合、ファイル出力権限テーブル８０を参照すると、ファイル２に対応する電子ペーパー８の許可欄にはＩＤ１が明記されているため、ＩＤ１で表される利用者にはファイル２を電子ペーパー８へ出力する権限があると判定され、ステップＳ１２６へ移行する。
【０１０４】
なお、ステップＳ１２６では既に説明したステップＳ１２０と同様の処理を行う。
【０１０５】
ステップＳ１１６では、まず、ステップＳ１００で受け付けた利用者識別情報で表される利用者に、ステップＳ１０４で取得した表示情報ファイルに含まれる表示情報を電子ペーパー８へ出力する権限がないか否かを判定する。当該利用者に電子ペーパー８へ表示情報を出力する権限がない場合、すなわち、表示情報ファイルに対応するファイル出力権限テーブル８０の電子ペーパー８の禁止欄に、当該利用者の利用者識別情報と一致する識別ＩＤが明記されている場合は、当該利用者には表示情報ファイルに含まれる表示情報を電子ペーパー８へ出力する権限がないものと判定し、ステップＳ１２２へ移行する。
【０１０６】
一方、上記判定が否定判定の場合、すなわち、表示情報ファイルに対応するファイル出力権限テーブル８０の電子ペーパー８の許可欄及び禁止欄の両方共に、利用者の利用者識別情報と一致する識別ＩＤが明記されていない場合、当該利用者に設定された表示情報ファイルを電子ペーパー８へ出力する権限は不明である。
【０１０７】
この場合、更に、表示情報ファイルの電子ペーパー８への出力に関して、関係者以外の者への情報漏洩の防止というセキュリティの観点に基づいた、利用者に関する予め定めた条件（権限不明時条件）を満たすか否かを判定する。権限不明時条件を満たす場合には、ステップＳ１００で受け付けた利用者識別情報で表される利用者に、表示情報ファイルを電子ペーパー８へ出力する権限を与えるようにする。
【０１０８】
権限不明時条件としては、利用者が所属する組織に関する組織情報に基づき予め定めた条件等が考えられる。
【０１０９】
例えば、表示情報ファイルの作成者と、表示情報ファイルに含まれる表示情報を電子ペーパー８へ出力する利用者とが、部や課といった同じ組織に所属しているか、当該利用者が表示情報ファイルの作成者の上司であるか等、が権限不明時条件として設定される。
【０１１０】
例えば、ステップＳ１００で受け付けた利用者識別情報がＩＤ１、コンテンツ選択情報で示された表示情報ファイルがファイル３であり、ＩＤ１で表される者には、画像形成装置１０の利用が許可されているものとし、権限不明時条件として、表示情報ファイルの作成者と、表示情報ファイルに含まれる表示情報を電子ペーパー８へ出力する利用者とが、同じ組織に所属しているか否かが設定されているものとして説明する。
【０１１１】
この場合、ファイル出力権限テーブル８０を参照すると、ファイル３に対応する電子ペーパー８の許可欄及び禁止欄共にＩＤ１は明記されていないため、ＩＤ１で表される利用者はファイル３を電子ペーパー８へ出力する権限を有しているか否か不明と判定される。そのため、今度はファイル属性テーブル８２からファイル３の作成者ＩＤ（本例では、ＩＤ３）を抽出すると共に、図１１に示す組織情報テーブル８４を参照する。
【０１１２】
図１１の組織情報テーブル８４は、社員ＩＤで識別される社員毎に、例えば、所属グループ及び当該社員の上司を示す上司ＩＤが設定されているテーブルであり、例えば、不揮発性メモリ５０Ｄの予め定めた領域に予め記憶されている。なお、組織情報テーブル８４を、ネットワーク４上のＰＣ２、又はコンテンツサーバ６等に保存して、ネットワーク通信Ｉ／Ｆ４８を介して取得するようにしてもよい。
【０１１３】
そして、組織情報テーブル８４から、社員ＩＤがＩＤ３で表される社員の所属グループ（本例では、ＧＲＯＵＰ１）を抽出する。更に、組織情報テーブル８４から、ＩＤ１で表される社員の所属グループ（本例では、ＧＲＯＵＰ１）を抽出する。すなわち、ファイル３の作成者と、ファイル３を電子ペーパー８へ出力する利用者とは、共に同じＧＲＯＵＰ１に所属する者であることから、権限不明時条件を満たすことになる。権限不明時条件を満たす場合は、ステップＳ１１８に移行する。
【０１１４】
また、例えば、ステップＳ１００で受け付けた利用者識別情報がＩＤ１、コンテンツ選択情報で示された表示情報ファイルがファイル３であり、ＩＤ１で表される者には、画像形成装置１０の利用が許可されているものとし、権限不明時条件として、表示情報ファイルに含まれる表示情報を電子ペーパー８へ出力する利用者が、表示情報ファイルの作成者の上司であるか否かが設定されている場合について説明する。
【０１１５】
この場合、上記と同様に、ＩＤ１で表される利用者がファイル３を電子ペーパー８へ出力する権限を有しているか否か不明と判定された後、ファイル属性テーブル８２からファイル３の作成者ＩＤ（本例では、ＩＤ３）を抽出する。そして、組織情報テーブル８４から社員ＩＤがＩＤ３で表される社員の上司ＩＤ（本例では、ＩＤ４）を抽出する。すなわち、ファイル３を電子ペーパー８へ出力する利用者は、ファイル３の作成者の上司ではないことから、権限不明時条件を満たさない。権限不明時条件を満たさない場合は、ステップＳ１２２に移行する。
【０１１６】
なお、権限不明時条件としては、上記で示したような、利用者が所属する組織に関する組織情報に基づき予め定めた条件の他に、例えば、表示情報ファイルに含まれる表示情報を電子ペーパー８へ出力する利用者を個人として特定できるか否かといった、利用者の属性情報を用いた条件を用いてもよい。
【０１１７】
例えば、ステップＳ１００で受け付けた利用者識別情報が、不特定多数の部外者に対して画像形成装置１０の利用を一時的に許可するため発行される、共通のゲスト用利用者識別情報（例えば、ＩＤ１００とする）である場合、複数の者にＩＤ１００が割り当てられるため、利用者識別情報からは誰が表示情報ファイルに含まれる表示情報を電子ペーパー８へ出力しようとしているのか特定できないことから、権限不明時条件を満たさないものとして判断する。
【０１１８】
ステップＳ１１８では、ステップＳ１００で受け付けた利用者識別情報で表される利用者に、ステップＳ１０４で取得した表示情報ファイルに含まれる表示情報を紙へ出力する権限があるか否かを判定する。当該利用者に紙へ表示情報を出力する権限がある場合は、表示情報の出力先を紙にするか電子ペーパー８にするかの選択を受け付けるため、既に説明したステップＳ１１０に移行する。そうでない場合はステップＳ１２０に移行する。
【０１１９】
例えば、ステップＳ１００で受け付けた利用者識別情報がＩＤ１、コンテンツ選択情報で示された表示情報ファイルがファイル４であり、ＩＤ１で表される利用者は、画像形成装置１０の利用が許可され、且つ、権限不明時条件を満たしているものとする。
【０１２０】
この場合、ファイル出力権限テーブル８０を参照すると、ファイル４に対応する紙の許可欄にはＩＤ１が明記されているため、ＩＤ１で表される利用者には、ファイル４に含まれる表示情報を紙に出力する権限もあると判定され、ステップＳ１１０に移行する。
【０１２１】
一方、ステップＳ１２２においてもステップＳ１１８と同様に、ステップＳ１００で受け付けた利用者識別情報で表される利用者に、ステップＳ１０４で取得した表示情報ファイルに含まれる表示情報を紙へ出力する権限があるか否かを判定する。当該利用者に紙へ表示情報を出力する権限がある場合は、ステップＳ１２４に移行する。そうでない場合は、紙及び電子ペーパー８の何れにも表示情報を出力することなく、本処理を終了する。
【０１２２】
ステップＳ１２４では既に説明したステップＳ１１２と同様の処理を行い、紙上にステップＳ１０４で取得した表示情報を形成する。
【０１２３】
なお、本実施形態の画像形成装置１０は、ＰＣ２からコンテンツ選択情報を受け付け、当該コンテンツ選択情報で示された表示情報ファイルをコンテンツサーバ６から取得したが、ＰＣ２から表示情報ファイルを受け付けるようにしてもよい。この場合、コンテンツサーバ６から表示情報ファイルを取得するステップＳ１０４の処理は不要となる。
【０１２４】
また、本実施形態では、ＰＣ２から利用者識別情報及びコンテンツ選択情報を受け付けたが、操作表示部２２のカードリーダー２５に利用者識別情報が記録された図示しない非接触型ＩＣカードをかざすことで、利用者識別情報を受け付けるようにしてもよい。また、操作表示部２２のディスプレイ２４の表示ボタンやハードウェアキー２６の操作により、コンテンツ選択情報を受け付けるようにしてもよい。
【０１２５】
更に、この場合、非認証利用者の図示しない非接触型ＩＣカードに認証利用者の図示しない非接触型ＩＣカードを重ねてカードリーダー２５にかざしたり、又は非認証利用者の図示しない非接触型ＩＣカードをカードリーダー２５にかざした後、調整可能な予め定めた期間内に、認証利用者の図示しない非接触型ＩＣカードをカードリーダー２５にかざす等により、非認証利用者を認証利用者として一時的に認証するようにしてもよい。
【０１２６】
ここでいう一時的とは、所望する表示情報の記録媒体又は電子ペーパー８への出力が完了するまでの期間に限らず、例えば、非認証利用者を認証利用者として認証してから予め定めた時間が経過するまでの期間や、非認証利用者を認証利用者として認証した日時から予め定めた日時までの期間であってもよい。更には、非認証利用者を認証利用者であると認証した画像形成装置１０のみで、当該非認証利用者を以後認証利用者として認証するというような、位置的な制限も含んでいる。
【０１２７】
次に、画像形成装置通信Ｉ／Ｆ１３２を介して、画像形成装置１０と相互にデータ通信を行う電子ペーパー８の作用について説明する。
【０１２８】
図１２に示す処理は、電子ペーパー８の電源がオンされると、ＣＰＵ７０Ａにより実行される電子ペーパー表示プログラムの処理の流れを示すフローチャートである。電子ペーパー表示プログラムはＲＯＭ７０Ｂの予め定めた領域に予め記憶されており、ＣＰＵ７０Ａがこの予め記憶された電子ペーパー表示プログラムを読み込むことにより実行される。また、ＣＤ−ＲＯＭ等の記憶媒体に電子ペーパー表示プログラムを記録し、これをＣＤ−ＲＯＭドライブ等で読み込むことにより実行する形態や、電子ペーパー表示プログラムを有線又は無線による通信手段を介して受信することにより実行する形態等を用いてもよい。
【０１２９】
まず、ステップＳ２００では、画像形成装置通信Ｉ／Ｆ１３２を介して、既に説明した図８に示す表示情報出力処理のステップＳ１２０で画像形成装置１０から送信された表示情報ファイル及び利用者識別情報を受信したか否か判定する。
【０１３０】
表示情報ファイル及び利用者識別情報を受信した場合は、例えばＲＡＭ７０Ｃの予め定めた領域にそれぞれを関連付けて記憶し、ステップＳ２０２へ移行する。そうでない場合は、表示情報ファイル及び利用者識別情報を受信するまで、ステップＳ２００の処理を継続する。
【０１３１】
なお、画像形成装置１０と電子ペーパー８とが有線で接続され、且つ、表示情報ファイル及び利用者識別情報が例えばＲＡＭ７０Ｃに記憶された後は、電子ペーパー８の閲覧者（以下、単に閲覧者と称す）は、電子ペーパー８から当該有線を切り離して、電子ペーパー８を任意の場所へ可搬してもよい。
【０１３２】
次に、ステップＳ２０２では、カードリーダー１３４から閲覧者識別情報を受け付けたか否かを判定し、閲覧者識別情報を受け付けた場合はステップＳ２０４へ移行する。そうでない場合は、閲覧者識別情報を受け付けるまで、ステップＳ２０２の処理を継続する。
【０１３３】
ステップＳ２０４では、ステップＳ２０２で受け付けた閲覧者識別情報で表される閲覧者が、電子ペーパー８の閲覧が許可されている者（認証閲覧者）であるか、電子ペーパー８の閲覧が許可されていない者（非認証閲覧者）であるかを判定する。
【０１３４】
この場合、例えば、不揮発性メモリ７０Ｄの予め定めた領域に予め記憶されている、電子ペーパー８の閲覧が許可されている者の閲覧者識別情報が記載された閲覧者テーブルを参照して認証すればよい。なお、閲覧者テーブルは画像形成装置１０のハードディスク４４等に予め記憶しておいてもよく、この場合、画像形成装置通信Ｉ／Ｆ１３２を介して閲覧者テーブルを取得して、一時的にＲＡＭ７０Ｃに記憶すればよい。
【０１３５】
閲覧者識別情報が閲覧者テーブルに記載されていない場合は、非認証閲覧者と認証され、本処理を終了する。一方、閲覧者識別情報が閲覧者テーブルに記載されている場合は、認証閲覧者と認証され、ステップＳ２０６へ移行する。
【０１３６】
ステップＳ２０６では、認証閲覧者の閲覧者識別情報と、ステップＳ２００で例えばＲＡＭ７０Ｃに記憶された利用者識別情報とが一致するか判定する。閲覧者識別情報と利用者識別情報とが一致する場合には、ステップＳ２０８へ移行する。そうでない場合は、本処理を終了する。
【０１３７】
ステップＳ２０８では、閲覧者識別情報と一致する利用者識別情報に対応した表示情報ファイルを、ＲＡＭ７０Ｃから読み込む。そして、既に説明したように、表示情報ファイルに含まれる表示情報から各画素毎の表示色を取得して、各画素に対応するセル毎に、表示色に応じた電圧を印加するように電圧印加部１３０を制御し、画像表示媒体１１０に表示情報を表示する。
【０１３８】
なお、画像表示媒体１１０に表示された表示情報は、予め定めた時間経過後に電圧印加部１３０を制御して消去するようにしてもよいし、電子ペーパー８の図示しない操作部から閲覧終了の指示を受け付けた場合に、電圧印加部１３０を制御して消去するようにしてもよい。
【０１３９】
また、予め定めたタイミング毎にカードリーダー１３４から閲覧者識別情報を読み取り、引き続き利用者識別情報と一致する閲覧者識別情報が検出される期間は画像表示媒体１１０への表示情報の表示を継続するが、そうでない場合、例えば、当該期間中に利用者識別情報と異なる閲覧者識別情報が検出された場合や、閲覧者識別情報が検出されない場合等に、画像表示媒体１１０に表示された表示情報を消去するようにしてもよい。
【０１４０】
一方、認証閲覧者の閲覧者識別情報とＲＡＭ７０Ｃに記憶された利用者識別情報とが一致しない場合には、電子ペーパー８の画像表示媒体１１０に表示情報を表示しないように電圧印加部１３０を制御する。
【０１４１】
なお、この場合であっても、例えば、表示情報ファイルに表示情報の秘匿度合いを表す値が付加されている場合には、当該表示情報の秘匿度合いが予め定めた秘匿度合いより低ければ、電子ペーパー８の画像表示媒体１１０に当該表示情報を表示するように電圧印加部１３０を制御する等、表示情報の属性情報に応じて表示情報の表示を制御するようにしてもよい。
【０１４２】
また、本実施形態に係る閲覧者識別情報はカードリーダー１３４で検出するようにしたが、閲覧者識別情報の受け付け方法はこれに限らない。例えば、電子ペーパー８の図示しないハードウェアキー、及びタッチパネル式のディスプレイに表示されたボタン等の操作により入力された閲覧者識別情報を受け付けるようにしてもよい。
【０１４３】
更に、この場合、非認証閲覧者の図示しない非接触型ＩＣカードに認証閲覧者の図示しない非接触型ＩＣカードを重ねてカードリーダー１３４にかざしたり、又は非認証閲覧者の図示しない非接触型ＩＣカードをカードリーダー１３４にかざした後、調整可能な予め定めた期間内に、認証閲覧者の図示しない非接触型ＩＣカードをカードリーダー１３４にかざす等により、非認証閲覧者を認証閲覧者として一時的に認証するようにしてもよい。
【０１４４】
ここでいう一時的とは、所望する表示情報の閲覧が完了するまでの期間に限らず、例えば、非認証閲覧者を認証閲覧者として認証してから予め定めた時間が経過するまでの期間や、非認証閲覧者を認証閲覧者として認証した日時から予め定めた日時までの期間であってもよい。更には、電子ペーパー８に位置検出手段を設けて、予め定めた範囲内のみで非認証閲覧者を以後認証閲覧者として認証するというような、位置的な制限も含んでいる。
【０１４５】
このように本実施形態によれば、画像形成装置１０は、利用者識別情報及びファイル出力権限テーブル８０等で示される出力権限情報に基づき、表示情報を画像形成装置１０の外部へ出力するか否かを一元的に判断する。
【０１４６】
また、画像形成装置１０は、利用者識別情報で表される利用者に電子ペーパー８等の表示装置に対する表示情報の出力権限が付与されているか否か不明な場合でも、利用者に関する予め定めた条件を満たす場合には、表示情報を表示装置へ出力する。
【０１４７】
なお、本実施形態に係る画像形成装置１０は、表示情報を紙又は電子ペーパー８等の表示装置の何れかに出力しているが、画像形成部１４等の紙への画像形成に係る構成部は必須ではない。本実施形態では情報処理装置として画像形成装置１０を用いて説明したが、これに限らず、例えば、パーソナルコンピュータ等を用いてもよい。
【０１４８】
更に、表示情報を表示装置へ出力する代わりに、ハードディスクやメモリディスク等の外部記憶媒体へ出力するようにしてもよい。この場合であっても、図８に示した表示情報出力処理がそのまま適用されることは言うまでもない。
【０１４９】
また、本実施形態に係るＰＣ２はパーソナルコンピュータに限られず、利用者の操作に基づき、ネットワーク４を介して画像形成装置１０へ利用者識別情報及びコンテンツ選択情報を出力するものであればよい。具体的には、ＰＣ２をタブレット端末やスマートフォン等の携帯端末装置等を用いてもよい。
【０１５０】
また、電子ペーパー８を、画像形成装置１０から表示情報を受信し、且つ、ログイン機能等を備え、表示情報を閲覧する閲覧者を特定した上で表示情報を表示する表示装置で置き換えてもよい。具体的には、電子ペーパー８をノート型パーソナルコンピュータ、タブレット端末、及びスマートフォン等の携帯端末装置等を用いてもよい。
【０１５１】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１５２】
また、上記実施形態で説明したプログラムの処理の流れ（図８、図１２）も一例であり、本発明の主旨を逸脱しない範囲内において不要なステップを削除したり、新たなステップを追加したり、処理順序を入れ替えたりしてもよいことは言うまでもない。
【符号の説明】
【０１５３】
２     パーソナルコンピュータ
４     ネットワーク
６     コンテンツサーバ
８     電子ペーパー
１０   画像形成装置
１２   画像読取部
１４   画像形成部
１６   原稿カバー
１６Ａ 原稿給紙部
１６Ｂ 原稿排出部
１８   原稿搬送部
２０   原稿
２２   操作表示部
２４   ディスプレイ
２５   カードリーダー
２６   ハードウェアキー
２８   用紙収容部
３０   受付部
３２   認証部
３４   送信部
３６   検出部
４０   用紙供給部
４２   用紙排出部
４４   ハードディスク
４６   電子ペーパー通信Ｉ／Ｆ
４８   ネットワーク通信Ｉ／Ｆ
５０   コンピュータ
７０   コンピュータ
８０   ファイル出力権限テーブル
８２   ファイル属性テーブル
８４   組織情報テーブル
１００ 情報処理システム
１０１ 表示基板
１０２ 背面基板
１０３ 表示側電極
１０４ 背面側電極
１０５ 間隙部材
１０６ 分散媒
１１０ 画像表示媒体
１１１ 粒子群
１１２ 粒子群
１１３ 浮遊粒子群
１２０ 駆動装置
１３０ 電圧印加部
１３２ 画像形成装置通信Ｉ／Ｆ
１３４ カードリーダー
１４０ 制御部
【図１】
2014079887.tif 000003
【図２】
2014079887.tif 000004
【図３】
2014079887.tif 000005
【図４】
2014079887.tif 000006
【図５】
2014079887.tif 000007
【図６】
2014079887.tif 000008
【図７】
2014079887.tif 000009
【図８】
2014079887.tif 000010
【図９】
2014079887.tif 000011
【図１０】
2014079887.tif 000012
【図１１】
2014079887.tif 000013
【図１２】
2014079887.tif 000014